(57)【特許請求の範囲】
【請求項１】
第１長辺と、前記第１長辺と対向する第２長辺と、前記第１長辺及び前記第２長辺と交差する方向に備えられた第１短辺と、前記第１短辺と対向する第２短辺とを有し光透過性を有する光学部品と、
前記第１短辺の近傍に備えられ前記光学部品を振動させる第１の加振部材と、
前記第２短辺の近傍に備えられ前記光学部品を振動させる第２の加振部材と、を有し、
前記光学部品の中心から前記第１の加振部材までの距離は、前記光学部品の中心から前記第２の加振部材までの距離とは異なり、
前記第１短辺から前記第１の加振部材までの距離と、前記第２短辺から前記第２の加振部材までの距離とは略等しいことを特徴とする光学装置。
【請求項２】
光透過性を有する光学部品と、
第１圧電体と第１電極とを有し前記光学部品に備えられ前記光学部品を振動させる第１の加振部材と、
第２圧電体と第２電極とを有し前記光学部品に備えられ前記光学部品を振動させる第２の加振部材と、を有し、
前記光学部品の中心から前記第１圧電体までの距離は、前記光学部品の中心から前記第２圧電体までの距離と略等しく、
前記光学部品の中心から前記第１電極までの距離は、前記光学部品の中心から前記第２電極までの距離とは異なることを特徴とする光学装置。
【請求項３】
請求項１又は請求項２に記載された光学装置であって、
前記第１の加振部材に第１の駆動信号を供給するとともに、前記第２の加振部材に第２の駆動信号を供給する駆動部を有し、
前記駆動部は、前記第１の駆動信号を供給するタイミングとは異なるタイミングで、前記第２の駆動信号を供給し、
前記第２の駆動信号は、前記第１の駆動信号の周波数と略同一な周波数であることを特徴とする光学装置。
【請求項４】
請求項３に記載された光学装置であって、
前記光学部品は、前記駆動部が前記第１の駆動信号を供給するタイミングでは第１の屈曲振動モードで振動し、前記駆動部が前記第２の駆動信号を供給するタイミングでは前記第１の屈曲振動モードとは異なる第２の屈曲振動モードで振動し、
前記駆動部は、前記光学部品が前記第１の屈曲振動モードで振動するとき前記第２の加振部材に第２の駆動信号を供給せず、前記光学部品が前記第２の屈曲振動モードで振動するとき前記第１の加振部材に第１の駆動信号を供給しないことを特徴とする光学装置。
【請求項５】
請求項１から請求項４までの何れか１項に記載された光学装置であって、
前記第１の加振部材と前記第２の加振部材とは、前記光学部品において前記第１の加振部材及び前記第２の加振部材が近傍に備えられた辺と平行な線に対して線対称とはならない位置に備えられていることを特徴とする光学装置。
【請求項６】
請求項１から請求項５までの何れか１項に記載された光学装置であって、
前記光学部品は、前記第１の加振部材により振動の腹が奇数個となる屈曲振動モードで振動し、前記第２の加振部材により振動の腹が偶数個となる屈曲振動モードで振動することを特徴とする光学装置。
【請求項７】
光透過性を有する光学部品と、
前記光学部品に備えられ前記光学部品を振動させる第１の加振部材と、
前記光学部品に備えられ前記光学部品を振動させる第２の加振部材と、
前記第１の加振部材に第１の駆動信号を供給し、前記第１の加振部材に第１の駆動信号を供給していないときに前記第２の加振部材に第２の駆動信号を供給する駆動部と、を有し、
前記光学部品の中心から前記第１の加振部材までの距離は、前記光学部品の中心から前記第２の加振部材までの距離とは異なることを特徴とする光学装置。
【請求項８】
請求項７に記載された光学装置であって、
前記光学部品は、前記駆動部が前記第１の駆動信号を供給するタイミングでは第１の屈曲振動モードで振動し、前記駆動部が前記第２の駆動信号を供給するタイミングでは前記第１の屈曲振動モードとは異なる第２の屈曲振動モードで振動することを特徴とする光学装置。
【請求項９】
請求項７又は請求項８に記載された光学装置であって、
前記駆動部は、前記第１の駆動信号を供給するタイミングとは異なるタイミングで、前記第２の駆動信号を供給し、
前記第２の駆動信号は、前記第１の駆動信号の周波数と略同一な周波数であることを特徴とする光学装置。
【請求項１０】
請求項７から請求項９までの何れか１項に記載された光学装置であって、
前記光学部品は、略円形であることを特徴とする光学装置。
【請求項１１】
請求項１０に記載された光学装置であって、
前記第１の加振部材と前記第２の加振部材とは、対向して備えられていることを特徴とする光学装置。
【請求項１２】
請求項１から請求項１１までの何れか１項に記載された光学装置であって、
前記第１及び第２の加振部材は、前記光学部品に対する振動効率が異なる位置に取り付けられていることを特徴とする光学装置。
【請求項１３】
請求項１から請求項１２までの何れか１項に記載された光学装置であって、
前記第１の加振部材に所定の駆動信号を与えたときの前記光学部品の振動量と、前記第２の加振部材に前記所定の駆動信号を与えたときの前記光学部品の振動量とは異なることを特徴とする光学装置。
【請求項１４】
請求項１から請求項１３までの何れか１項に記載された光学装置を備えたことを特徴とする光学機器。
【発明の詳細な説明】
【技術分野】
【０００１】
本発明は、光学部品から塵埃等を除去する光学装置及びそれを備えた光学機器に関する。
【背景技術】
【０００２】
撮像素子の前方に配置した防塵部材を振動させることで、当該防塵部材に付着した塵埃等を除去するシステムが従来から知られている（例えば、特許文献１参照）。
【０００３】
【特許文献１】特開２００３−３３８９６１号公報
【発明の開示】
【発明が解決しようとする課題】
【０００４】
先述のシステムでは、複数の振動モードで防塵部材を振動させるのに最適な位置に圧電素子が設けられておらず、防塵部材に振動を効率的に発生させることができない場合があった。本発明が解決しようとする課題は、振動を効率的に発生させることが可能な光学装置及びそれを備えた光学機器を提供することである。
【課題を解決するための手段】
【０００５】
請求項１記載の発明は、第１長辺と、前記第１長辺と対向する第２長辺と、前記第１長辺及び前記第２長辺と交差する方向に備えられた第１短辺と、前記第１短辺と対向する第２短辺とを有し光透過性を有する光学部品（３６Ａ）と、前記第１短辺（３６１）の近傍に備えられ前記光学部品を振動させる第１の加振部材（３７Ａ）と、前記第２短辺（３６２）の近傍に備えられ前記光学部品を振動させる第２の加振部材（３７Ｂ）と、を有し、前記光学部品の中心（３６５）から前記第１の加振部材までの距離（Ｌ１）は、前記光学部品の中心から前記第２の加振部材までの距離（Ｌ２）とは異なり、前記第１短辺から前記第１の加振部材までの距離と、前記第２短辺から前記第２の加振部材までの距離とは略等しいことを特徴とする光学装置である。
請求項２記載の発明は、光透過性を有する光学部品（３６Ａ）と、第１圧電体（３８）と第１電極（３９ａ，３９ｂ）とを有し前記光学部品に備えられ前記光学部品を振動させる第１の加振部材（３７Ｅ）と、第２圧電体（３８）と第２電極（３９ａ，３９ｂ）とを有し前記光学部品に備えられ前記光学部品を振動させる第２の加振部材（３７Ｆ）と、を有し、前記光学部品の中心から前記第１圧電体までの距離は、前記光学部品の中心から前記第２圧電体までの距離と略等しく、前記光学部品の中心から前記第１電極までの距離は、前記光学部品の中心から前記第２電極までの距離とは異なることを特徴とする光学装置である。
請求項３記載の発明は、請求項１又は請求項２に記載された光学装置であって、前記第１の加振部材に第１の駆動信号を供給するとともに、前記第２の加振部材に第２の駆動信号を供給する駆動部（２８）を有し、前記駆動部は、前記第１の駆動信号を供給するタイミングとは異なるタイミングで、前記第２の駆動信号を供給し、前記第２の駆動信号は、前記第１の駆動信号の周波数と略同一な周波数であることを特徴とする光学装置である。
請求項４記載の発明は、請求項３に記載された光学装置であって、前記光学部品は、前記駆動部が前記第１の駆動信号を供給するタイミングでは第１の屈曲振動モードで振動し、前記駆動部が前記第２の駆動信号を供給するタイミングでは前記第１の屈曲振動モードとは異なる第２の屈曲振動モードで振動し、前記駆動部は、前記光学部品が前記第１の屈曲振動モードで振動するとき前記第２の加振部材に第２の駆動信号を供給せず、前記光学部品が前記第２の屈曲振動モードで振動するとき前記第１の加振部材に第１の駆動信号を供給しないことを特徴とする光学装置である。
【０００６】
請求項５記載の発明は、請求項１から請求項４までの何れか１項に記載された光学装置であって、前記第１の加振部材と前記第２の加振部材とは、前記光学部品において前記第１の加振部材及び前記第２の加振部材が近傍に備えられた辺と平行な線（３６３）に対して線対称とはならない位置に備えられていることを特徴とする光学装置である。
【０００８】
請求項６記載の発明は、請求項１から請求項５までの何れか１項に記載された光学装置であって、前記光学部品は、前記第１の加振部材により振動の腹が奇数個となる屈曲振動モードで振動し、前記第２の加振部材により振動の腹が偶数個となる屈曲振動モードで振動することを特徴とする光学装置である。
【０００９】
請求項７記載の発明は、光透過性を有する光学部品（３６Ｂ）と、前記光学部品に備えられ前記光学部品を振動させる第１の加振部材（３７Ａ）と、前記光学部品に備えられ前記光学部品を振動させる第２の加振部材（３７Ｂ）と、前記第１の加振部材に第１の駆動信号を供給し、前記第１の加振部材に第１の駆動信号を供給していないときに前記第２の加振部材に第２の駆動信号を供給する駆動部（２８）と、を有し、前記光学部品の中心（３６６）から前記第１の加振部材までの距離（Ｌ３）は、前記光学部品の中心から前記第２の加振部材までの距離（Ｌ４）とは異なることを特徴とする光学装置である。
【００１０】
請求項８記載の発明は、請求項７に記載された光学装置であって、前記光学部品は、前記駆動部が前記第１の駆動信号を供給するタイミングでは第１の屈曲振動モードで振動し、前記駆動部が前記第２の駆動信号を供給するタイミングでは前記第１の屈曲振動モードとは異なる第２の屈曲振動モードで振動することを特徴とする光学装置である。
請求項９記載の発明は、請求項７又は請求項８に記載された光学装置であって、前記駆動部は、前記第１の駆動信号を供給するタイミングとは異なるタイミングで、前記第２の駆動信号を供給し、前記第２の駆動信号は、前記第１の駆動信号の周波数と略同一な周波数であることを特徴とする光学装置である。
請求項１０記載の発明は、請求項７から請求項９までの何れか１項に記載された光学装置であって、前記光学部品は、略円形であることを特徴とする光学装置である。
【００１１】
請求項１１記載の発明は、請求項１０に記載された光学装置であって、前記第１の加振部材と前記第２の加振部材とは、対向して備えられていることを特徴とする光学装置である。
【００１２】
請求項１２記載の発明は、請求項１から請求項１１までの何れか１項に記載された光学装置であって、前記第１及び第２の加振部材は、前記光学部品に対する振動効率が異なる位置に取り付けられていることを特徴とする光学装置である。
【００１９】
請求項１３記載の発明は、請求項１から請求項１２までの何れか１項に記載された光学装置であって、前記第１の加振部材に所定の駆動信号を与えたときの前記光学部品の振動量と、前記第２の加振部材に前記所定の駆動信号を与えたときの前記光学部品の振動量とは異なることを特徴とする光学装置である。
【００２０】
請求項１４記載の発明は、請求項１から請求項１３までの何れか１項に記載された光学装置を備えたことを特徴とする光学機器である。
【発明の効果】
【００２１】
本発明では、振動を効率的に発生させることができる。
【発明を実施するための最良の形態】
【００２２】
以下、本発明の実施形態を図面に基づいて説明する。
【００２３】
《第１実施形態》
図１は本発明の第１実施形態におけるカメラの全体構成を示すブロック図、図２は本発明の第１実施形態における光学装置の概略断面図、図３は図２に示す光学装置の平面図、図４Ａ及び図４Ｂは一次及び三次の屈曲振動モードにおける、図３のIVA-IVA線に沿った概略断面図、図４Ｃは二次の屈曲振動モードにおける、図３のIVC-IVC線に沿った概略断面図である。
【００２４】
まず、本発明の第１実施形態におけるカメラ全体について、図１を参照しながら説明する。本実施形態におけるカメラ１は、カメラボディ２０にレンズ鏡筒１０を着脱可能に装着された一眼レフレックス方式のデジタルスチルカメラである。
【００２５】
カメラボディ２０の内部には、ミラー２１、シャッタユニット２３及び撮像ユニット３０が設けられており。レンズ鏡筒１０の内部には光学レンズ群１１が設けられている。レンズ鏡筒１０がカメラボディ２０に装着された状態で、光学レンズ群１１、ミラー２１、シャッタユニット２３及び撮像ユニット３０が光軸Ｃ上に位置している。
【００２６】
ミラー２１は、ミラー駆動モータ２２により所定角度を回転することが可能となっている。このミラー２１は、レリーズスイッチ２９のオン／オフに応じて、光軸Ｃ上から退避したり、光軸Ｃ上に位置するようになっている。
【００２７】
シャッタユニット２３は、シャッタ駆動モータ２４により開閉可能となっている。このシャッタユニット２３は、レリーズスイッチ２９が押されることで、所定時間開くようになっている。
【００２８】
従って、撮影者がレリーズスイッチを押していない状態では、ミラー２１が光軸Ｃ上に位置しており、光学レンズ群１１を介して入射した被写体像は、ミラー２１により反射されて、ペンタプリズム等を備えたファインダ光学系（不図示）に導かれるようになっている。一方、撮影者がレリーズスイッチ２９を押すと、ミラー駆動モータ２２によりミラー２１が光軸Ｃ上から退避するとともに、シャッタ駆動モータ２４によりシャッタユニット２３が開いて、被写体像が撮像ユニット３０に導かれるようになっている。
【００２９】
さらに、カメラボディ２０には、ボディＣＰＵ２５、バッテリ２６、振動モード選択回路２７及び防塵部材駆動回路２８が内蔵されている。一方、レンズ鏡筒１０には、レンズＣＰＵ１３が内蔵されている。ボディＣＰＵ２５とレンズＣＰＵ１３とは接点１４を介して電気的に接続されている。この接点１４を介して、ボディＣＰＵ２５とレンズＣＰＵ１３との間でフォーカス量や絞り量等の情報が授受されるとともに、カメラボディ２０側のバッテリ２６から、レンズ駆動モータ１２やレンズＣＰＵ１３等を駆動させるための電力がレンズ鏡筒１０側に供給される。
【００３０】
振動モード選択回路２７は、例えば、カメラボディ１０のメインスイッチ（不図示）がオンになった際に、撮像ユニット３０の防塵部材３６Ａ（後述）に発生させる振動モードを防塵部材駆動回路２８に指示する。防塵部材駆動回路２８は、この振動モード選択回路２７からの指示に基づいて、撮像ユニット３０の第１及び第２の圧電素子３７Ａ，３７Ｂに周期的な矩形波又はサイン波等の電圧を印加して、第１及び第２の圧電素子３７Ａ，３７Ｂを励振させる。なお、第１及び第２の圧電素子３７Ａ，３７Ｂの振動数は、低電圧で大きな振幅を得るために、防塵部材３６Ａの表面を共振させる振動数であることが好ましい。この共振周波数は、防塵部材３６Ａの形状や板厚・材質等に依存する。
【００３１】
撮像ユニット３０は、図２及び図３に示すように、撮像素子３１、光学ローパスフィルタ３４、防塵部材３６Ａ及び圧電素子３７Ａ，３７Ｂを備えている。
【００３２】
撮像素子３１は、例えば、ＣＣＤイメージセンサやＣＭＯＳイメージセンサ等で構成されており、基板３２に実装されている。この撮像素子３１で光電変換された電気画像信号は、図示しないメモリに格納される。
【００３３】
撮像素子３１の上には、スペーサ３３を介して、ローパスフィルタ３４が配置されている。このローパスフィルタ３４は、例えば、２枚の水晶複屈折板と、１枚のλ／４枚（波長板）と、から構成されている。撮像素子３１とローパスフィルタ３４との間の空間は、スペーサ３３により密閉されており、塵埃等から保護されている。
【００３４】
ローパスフィルタ３４の上には、シール部材３５を介して、防塵部材３６Ａが配置されている。この防塵部材３６Ａは、例えば、透明な赤外線吸収ガラスで構成されており、ネジ（不図示）等を用いて、基板３２やシール部材３５に固定されている。ローパスフィルタ３４と防塵部材３６Ａとの間は、シール部材３５により密閉されており、塵埃等から保護されている。
【００３５】
この防塵部材３６Ａは、例えば、Ｘ方向に沿った長さとＹ方向に沿った長さとの比が、撮像素子３１の撮像面のＸ方向に沿った長さとＹ方向に沿った長さとの比と実質的に同一となっている。なお、本発明においては、防塵部材３６Ａとして、例えば、赤外線吸収ガラス以外のガラスや、レンズ或いはフィルタ等の光透過性を有する部材を用いてもよい。
【００３６】
防塵部材３６Ａは、ローパスフィルタ３４よりもＸ軸方向に幅広の略矩形形状を有しており、第１の辺３６１及びそれに対向する第２の辺３６２がシール部材３５から突出している。この防塵部材３６Ａの側端部の下面には、第１及び第２の圧電素子３７Ａ，３７Ｂが、接着剤等を用いて固定されており、撮像に必要な領域３６４(図３のハッチング部分)を回避するように配置されている。なお、防塵部材３６Ａの上面に第１及び第２の圧電素子３７Ａ，３７Ｂを設けてもよい。
【００３７】
図２に示すように、第１及び第２の圧電素子３７Ａ，３７Ｂはいずれも、圧電体３８と、圧電体３８を間に挟んだ一対の電極３９ａ，３９ｂと、から構成されている。圧電体３８を構成する材料としては、例えば、チタン酸ジルコン酸鉛（ＰＺＴ）、チタン酸バリウム（ＢＴ）、リン酸二水素カリウム（ＫＤＰ）、水晶（ＳｉＯ２）、タンタル酸リチウム（ＬｉＴａＯ３）、ニオブ酸リチウム（ＬｉＮｂＯ３）等を例示することができる。また、電極３９ａ，３９ｂを構成する材料としては、例えば、金や白金、銀等を例示することができる。電極３９ａ，３９ｂは、防塵部材駆動回路２８に接続されている。
【００３８】
図３に示すように、第１の圧電素子３７Ａは、第１の辺３６１の略中央の近傍に配置されている。これに対し、第２の圧電素子３７Ｂは、同図中において、第２の辺３６２の中央の近傍よりも上方に配置されており、第１の圧電素子３７Ａに対して非対称となる位置に取り付けられている。すなわち、第１及び第２の辺３６１，３６２に対して実質的に平行な仮想線３６３を中心として、第１の圧電素子３７Ａと第２の圧電素子３７Ｂとが線対称となっていない。また、防塵部材３６Ａの中心３６５から第１の圧電素子３７Ａまでの距離Ｌ１が、前記中心３６５から第２の圧電素子３７Ｂまでの距離Ｌ２よりも短くなっている（Ｌ１＜Ｌ２）。このように、本実施形態では、第１の圧電素子３７Ａと第２の圧電素子３７Ｂとが、防塵部材３６Ａに対する振動効率が異なる位置に配置されている。なお、振動効率とは、同一周波数で励振した場合における防塵部材３６Ａに振動を発生させる効率のことをいう。因みに、第２の圧電素子３７Ｂは、同図中において、第２の辺３６２の上端から約１／４の位置に配置されており、防塵部材３６Ａに二次の振動モードの振動を発生させた際に、当該振動の腹に第２の圧電素子３７Ｂが位置するようになっている。
【００３９】
以下に、図４Ａ〜図４Ｃを参照しながら、第１及び第２の圧電素子３７Ａ，３７Ｂによる防塵部材３６Ａからの塵埃等の除去動作について説明する。
【００４０】
例えば、撮影者がカメラ１のメインスイッチ（不図示）をオンすると、振動モード選択回路２７は、一次の屈曲振動モードを実行するように防塵部材駆動回路２８に制御信号を送信する。防塵部材駆動回路２８は、この制御信号に基づいて、第１の周波数ｆ１の励振信号を第１の圧電素子３７Ａに出力し、図４Ａに実線及び点線で示すように、防塵部材３６Ａが一次の振動モードで振動する。
【００４１】
次いで、振動モード選択回路２７は、三次の屈曲振動モードを実行するように防塵部材駆動回路２８に制御信号を送信する。防塵部材駆動回路２８は、この制御信号に基づいて、第２の周波数ｆ２（＞ｆ１）の励振信号を第１の圧電素子３７Ａに出力し、図４Ｂの実線及び点線で示すように、防塵部材３６Ａが三次の振動モードで振動する。
【００４２】
最後に、振動モード選択回路２７は、二次の屈曲振動モードを実行するように防塵部材駆動回路２８に制御信号を送信する。防塵部材駆動回路２８は、この制御信号に基づいて、第３の周波数ｆ３（ｆ１＜ｆ３＜ｆ２）の励振信号を第２の圧電素子３７Ｂに出力し、図４Ｃの実線及び点線で示すように、防塵部材３６Ａが二次の振動モードで振動する。
【００４３】
なお、第１及び第２の圧電素子３７Ａ，３７Ｂを、三次以上の高次の振動モードで振動させてもよい。また、第１及び第２の圧電素子３７Ａ，３７Ｂを振動させる回数やタイミングは、任意に設定することができる。さらに、第１の圧電素子３７Ａに出力する励振信号の周波数と、第２の圧電素子３７Ｂに出力する励振信号の周波数と、を実質的に同一としてもよい。例えば、防塵部材駆動回路２８は、第１及び第２の圧電素子３７Ａ，３７Ｂにそれぞれ異なるタイミングで第３の周波数ｆ３の励振信号を出力してもよい。また、防塵部材駆動回路２８は、第１及び第２の圧電素子３７Ａ，３７Ｂに同一のタイミングで第３の周波数ｆ３の励振信号を出力してもよい。第１及び第２の圧電素子３７Ａ，３７Ｂは、防塵部材３６Ａに互いに非対称となるように配置されているので、同一の周波数ｆ３で励振されても複数の振動モードで防塵部材３６Ａを振動させることができるからである。
【００４４】
本実施形態では、以上のような屈曲振動モードを実行することで、防塵部材３６Ａが振動して、防塵部材３６Ａの表面に付着した塵埃等が除去される。この際、複数の屈曲振動モードで防塵部材３６Ａを振動させて、異なる振動量の振動を防塵部材３６Ａに発生させるので、防塵部材３６Ａ上に塵埃等を残さずに除去することができる。また、本実施形態では、それぞれの屈曲振動モードにおいて振動の腹で加振することができるので、防塵部材３６Ａに振動を効率的に発生させることができる。なお、振動量とは、例えば、振動変位、振動速度、振動加速度等の塵埃除去の要因となる物理量のことをいう。
【００４５】
《第２実施形態》
図５は本発明の第２実施形態における光学装置の平面図である。本実施形態では、第１及び第２の圧電素子３７Ａ，３７Ｂに加えて、第３及び第４の圧電素子３７Ｃ，３７Ｄを備えている点で第１実施形態と相違するが、それ以外の構成は第１実施形態と同様である。以下に、第２実施形態における光学装置について第１実施形態との相違点についてのみ説明し、第１実施形態と同様の構成である部分については同一符号を附して説明を省略する。
【００４６】
本実施形態では、第３の圧電素子３７Ｃは、防塵部材３６Ａの第２の辺３６２の略中央の近傍に配置されており、仮想線３６３を中心として第１の圧電素子３７Ａに対して線対称となっている。
【００４７】
一方、第４の圧電素子３７Ｄは、防塵部材３６Ａの第１の辺３６１の中央の近傍よりも上方に配置されており、仮想線３６３を中心として第２の圧電素子３７Ｂに対して線対称となっている。なお、第３及び第４の圧電素子３７Ｃ，３７Ｄの構造は、上述の第１及び第２の圧電素子３７Ａ，３７Ｂと同様である。
【００４８】
本実施形態では、第３の圧電素子３７Ｃを、第１の圧電素子３７Ａと同タイミングで且つ同周波数で振動させる。同様に、第４の圧電素子３７Ｄを、第２の圧電素子３７Ｂと同タイミングで且つ同周波数で振動させる。
【００４９】
《第３実施形態》
図６は本発明の第３実施形態における光学装置の平面図、図７は６のVII-VII線に沿った断面図、図８は図６のVIII-VIII線に沿った断面図である。本実施形態では、第１及び第２の圧電素子３７Ａ，３７Ｂに代えて、第５及び第６の圧電素子３７Ｅ，３７Ｆを備えている点で第１実施形態と相違するが、それ以外の構成は第１実施形態と同様である。以下に、第３実施形態における光学装置について第１実施形態との相違点についてのみ説明し、第１実施形態と同様の構成である部分については同一符号を附して説明を省略する。
【００５０】
本実施形態における第５の圧電素子３７Ｅでは、図７に示すように、電極３９ａ，３９ｂが圧電体３８の略中央部分のみに配置されている。これに対し、第６の圧電素子３７Ｆでは、図８に示すように、電極３９ａ，３９ｂが圧電体３８の一端部にのみ配置されている。このため、第５の圧電素子３７Ｅでは略中央部分だけで圧電効果が生じるのに対して、第６の圧電素子３７Ｆでは一端部だけで圧電効果が生じる。なお、第５及び第６の圧電素子３７Ｅにおいて、いずれか一方の電極３９ａ，３９ｂを、圧電体３８の一方の主面の全面に形成してもよい。
【００５１】
こうした第５及び第６の圧電素子３７Ｅ，３７Ｆは、図６に示すように、防塵部材３６Ａの第１及び第２の辺３６１，３６２の略中央の近傍にそれぞれ設けられており、仮想線３６３を中心として線対称となっている。そのため、それぞれの圧電素子３７Ｅ，３７Ｆにおいて圧電効果を生じる部分が、防塵部材３６Ａ上において非対称となっている。
【００５２】
《第４実施形態》
図９は本発明の第４実施形態における光学装置を示す平面図である。本実施形態では、防塵部材の形状及び圧電素子の設置位置が第１実施形態と相違するが、それ以外の構成は第１実施形態と同様である。以下に、第４実施形態における光学装置について第１実施形態との相違点についてのみ説明し、第１実施形態と同様の構成である部分については同一符号を附して説明を省略する。
【００５３】
本実施形態では、図９に示すように、防塵部材３６Ｂは略円形形状を有している。防塵部材３６Ｂには、第１及び第２の圧電素子３７Ａ，３７Ｂが取り付けられているが、防塵部材３６Ｂの中心３６６から第１の圧電素子３７Ａまでの距離Ｌ３が、前記中心３６６から第２の圧電素子３７Ｂまでの距離Ｌ４よりも長くなっている（Ｌ３＞Ｌ４）。また、防塵部材３６Ｂの中心３６６を中心として、第１の圧電素子３７Ａと第２の圧電素子３７Ｂとが対向するように配置されている。このように、本実施形態では、第１の圧電素子３７Ａと第２の圧電素子３７Ｂとが、防塵部材３６Ｂに対する振動効率が異なる位置に配置されている。
【００５４】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００５５】
例えば、圧電素子３７Ａ〜３７Ｆに代えて、磁歪体に磁気を印加することで当該磁歪体を振動させる磁歪素子を用いてもよい。
【００５６】
また、上述の実施形態では、一眼レフレックスタイプのデジタルカメラに本発明を適用した例について説明したが、例えば、レンズ鏡筒とカメラボディとを着脱できないタイプのデジタルスチルカメラ、デジタルビデオカメラ、顕微鏡、携帯電話その他の光学機器に本発明を適用してもよい。
【図面の簡単な説明】
【００５７】
【図１】図１は、本発明の第１実施形態におけるカメラの全体構成を示すブロック図である。
【図２】図２は、本発明の第１実施形態における光学装置の概略断面図である。
【図３】図３は、図２に示す光学装置の平面図である。
【図４Ａ】図４Ａは、一次の屈曲振動モードにおける、図３のIVA-IVA線に沿った概略断面図である。
【図４Ｂ】図４Ｂは、三次の屈曲振動モードにおける、図３のIVA-IVA線に沿った概略断面図である。
【図４Ｃ】図４Ｃは、二次の屈曲振動モードにおける、図３のIVC-IVC線に沿った概略断面図である。
【図５】図５は、本発明の第２実施形態における光学装置の平面図である。
【図６】図６は、本発明の第３実施形態における光学装置の平面図である。
【図７】図７は、図６のVII-VII線に沿った断面図である。
【図８】図８は、図６のVIII-VIII線に沿った断面図である。
【図９】図９は、本発明の第４実施形態における光学装置を示す平面図である。
【符号の説明】
【００５８】
１…カメラ
１０…レンズ鏡筒
２０…カメラボディ
２７…振動モード選択回路
２８…防塵部材駆動回路
３０…撮像ユニット
３１…撮像素子
３４…光学ローバスフィルタ
３６Ａ，３６Ｂ…防塵部材
３６１…第１の辺
３６２…第２の辺
３６３…仮想線
３６５，３６６…中心
３７Ａ〜３７Ｆ…第１〜第６の圧電素子
３８…圧電体
３９ａ，３９ｂ…電極
【図１】
0005088155.tif 000002
【図２】
0005088155.tif 000003
【図３】
0005088155.tif 000004
【図４Ａ】
0005088155.tif 000005
【図４Ｂ】
0005088155.tif 000006
【図４Ｃ】
0005088155.tif 000007
【図５】
0005088155.tif 000008
【図６】
0005088155.tif 000009
【図７】
0005088155.tif 000010
【図８】
0005088155.tif 000011
【図９】
0005088155.tif 000012